(57)【特許請求の範囲】
【請求項１】
被写体を撮像して画像を得る撮像手段と、
画像を記録した複数の記録手段と、
前記撮像手段により得られる画像とともに、前記複数の記録手段に記録されている画像を前記複数の記録手段ごとに区別して表示する表示手段と、
前記表示手段により、前記撮像手段により得られる画像と前記複数の記録手段に記録されている画像とが表示されている状態で、前記撮像手段により得られる画像の記録先として、前記複数の記録手段の中から任意の記録手段を設定する設定手段と、
前記撮像手段により得られる画像の記録を指示する指示手段と、
前記指示手段により記録が指示されると、前記撮像手段により得られた画像を、前記設定手段により設定された記録手段に記録させるよう制御する記録制御手段と
を備えることを特徴とする撮像装置。
【請求項２】
前記表示手段は、前記複数の記録手段に記録されている画像を、前記撮像手段により得られた画像の外部に表示することを特徴とする請求項１記載の撮像装置。
【請求項３】
前記表示手段は、前記設定手段により設定された記録手段に前記撮像手段により得られた画像が記録された旨を表示することを特徴とする請求項１又は２に記載の撮像装置。
【請求項４】
前記表示手段は、前記複数の記録手段に記録されている画像のうち所定枚数の画像を表示させ、当該所定枚数の画像をスクロール表示することを特徴とする請求項１から３いずれか１項に記載の撮像装置。
【請求項５】
前記表示手段は、前記撮像手段により得られる画像をスルー画像として表示することを特徴とする請求項１から４いずれか１項に記載の撮像装置。
【請求項６】
前記複数の記録手段は当該装置に対し着脱可能に構成された複数の記録媒体であるとともに、これら複数の記録媒体がそれぞれ挿入される複数のスロットを更に備え、
前記表示手段は、前記複数のスロットに挿入された前記複数の記録媒体の配置関係と前記複数の記録媒体に記録されている画像が表示される表示領域の配置関係とを対応させて、前記複数の記録媒体に記録されている画像を前記表示領域に表示することを特徴とする請求項１から５いずれか１項に記載の撮像装置。
【請求項７】
被写体を撮像して画像を得る撮像ステップと、
前記撮像ステップにおいて得られる画像を表示させるとともに、複数の記録手段に記録されている画像を前記複数の記録手段ごとに区別して表示させる表示ステップと、
前記表示ステップにおいて、前記撮像ステップにより得られる画像と前記複数の記録手段に記録されている画像とが表示されている状態で、前記撮像ステップにおいて得られた画像の記録先として、前記複数の記録手段の中から任意の記録手段を設定する設定ステップと、
前記撮像手段により得られる画像の記録を指示する指示ステップと、
前記指示ステップにおいて記録が指示されると、前記撮像ステップにおいて得られた画像を、前記設定ステップにおいて設定された記録手段に記録させる記録制御ステップと
を含むことを特徴とする撮像方法。
【請求項８】
被写体を撮像して画像を得る撮像手段と、画像を記録した複数の記録手段と、前記撮像手段により得られる画像の記録を指示する指示手段とを備える撮像装置のコンピュータを、
表示画面に、前記撮像手段により得られた画像を表示させるとともに、前記複数の記録手段に記録されている画像を前記複数の記録手段ごとに区別して表示させる表示制御手段、
前記表示画面に、前記撮像手段により得られる画像と前記複数の記録手段に記録されている画像とが表示されている状態で、前記撮像手段により得られた画像の記録先として、前記複数の記録手段の中から任意の記録手段を設定する設定手段、
前記指示手段により記録が指示されると、前記撮像手段により得られた画像を、前記設定手段により設定された記録手段に記録させる記録制御手段、
として機能させるためのプログラム。
【発明の詳細な説明】
【技術分野】
【０００１】
本発明は、撮像装置、撮像方法、及びプログラムに関し、特に撮影中の画像と撮影済の画像とを同時に表示させる撮像装置、撮像方法、及びプログラムに関する。
【背景技術】
【０００２】
従来、撮影時の設定に関する情報などに応じて、複数の記録媒体の中から撮影画像の記録先となる記録媒体を決定する電子カメラが知られている（例えば、特許文献１）。この電子カメラは、例えば、現在が平日か否かを電子カメラが判断し、平日であれば撮影した画像の記録先を仕事用の記録媒体に記録し、平日でなければ撮影した画像の記録先をプライベート用の記録媒体に記録する処理を自動的に行うものである。
【特許文献１】特開２００６−３３２６８号公報
【発明の開示】
【発明が解決しようとする課題】
【０００３】
しかしながら、この従来の電子カメラでは、撮影画像の記録先となる記録媒体が自動的に決定されてしまうため、撮影画像の記録先がユーザの意思に反するものになる場合がある問題があった。例えば上記の例では、ユーザによっては、平日にプライベート用の画像を撮影する場合もあるが、この場合に従来の電子カメラでは、このユーザの意思に反し平日に撮影したプライベート用の画像を、仕事用の記録媒体に記録する処理を行うことがある。
【０００４】
そこで、本発明の目的は、ユーザの意思を確実に反映させて、複数の記録媒体への記録画像の振り分けができる撮像装置、撮像方法、及びプログラムを提供することである。
【課題を解決するための手段】
【０００５】
上記課題を解決するために、請求項１記載の発明は、
被写体を撮像して画像を得る撮像手段と、
画像を記録した複数の記録手段と、
前記撮像手段により得られる画像とともに、前記複数の記録手段に記録されている画像を前記複数の記録手段ごとに区別して表示する表示手段と、
前記表示手段により、前記撮像手段により得られる画像と前記複数の記録手段に記録されている画像とが表示されている状態で、前記撮像手段により得られる画像の記録先として、前記複数の記録手段の中から任意の記録手段を設定する設定手段と、
前記撮像手段により得られる画像の記録を指示する指示手段と、
前記指示手段により記録が指示されると、前記撮像手段により得られた画像を、前記設定手段により設定された記録手段に記録させるよう制御する記録制御手段と
を備えることを特徴とする。
また、請求項２記載の発明は、
前記表示手段は、前記複数の記録手段に記録されている記録画像を、前記撮像手段により得られた画像の外部に表示することを特徴とする。
また、請求項３記載の発明は、
前記表示手段は、前記複数の記録手段に記録されている画像を、前記撮像手段により得られた画像の外部に表示することを特徴とする。
また、請求項４記載の発明は、
前記表示手段は、前記複数の記録手段に記録されている画像のうち所定枚数の画像を表示させ、当該所定枚数の記録画像をスクロール表示することを特徴とする。
また、請求項５記載の発明は、
前記表示手段は、前記撮像手段により得られる画像をスルー画像として表示することを特徴とする。
また、請求項６記載の発明は、
前記複数の記録手段は当該装置に対し着脱可能に構成された複数の記録媒体であるとともに、  これら複数の記録媒体がそれぞれ挿入される複数のスロットを更に備え、
前記表示手段は、前記複数のスロットに挿入された前記複数の記録媒体の配置関係と前記複数の記録媒体に記録されている画像が表示される表示領域の配置関係とを対応させて、前記複数の記録媒体に記録されている画像を前記表示領域に表示することを特徴とする。
また、請求項７記載の発明は、
被写体を撮像して画像を得る撮像ステップと、
前記撮像ステップにおいて得られる画像を表示させるとともに、複数の記録手段に記録されている画像を前記複数の記録手段ごとに区別して表示させる表示ステップと、
前記表示ステップにおいて、前記撮像ステップにより得られる画像と前記複数の記録手段に記録されている画像とが表示されている状態で、前記撮像ステップにおいて得られた画像の記録先として、前記複数の記録手段の中から任意の記録手段を設定する設定ステップと、
前記撮像手段により得られる画像の記録を指示する指示ステップと、
前記指示ステップにおいて記録が指示されると、前記撮像ステップにおいて得られた画像を、前記設定ステップにおいて設定された記録手段に記録させる記録制御ステップと
を含むことを特徴とする。
また、請求項８記載の発明は、
被写体を撮像して画像を得る撮像手段と、画像を記録した複数の記録手段と、前記撮像手段により得られる画像の記録を指示する指示手段とを備える撮像装置のコンピュータを、
表示画面に、前記撮像手段により得られた画像を表示させるとともに、前記複数の記録手段に記録されている画像を前記複数の記録手段ごとに区別して表示させる表示制御手段、
前記表示画面に、前記撮像手段により得られる画像と前記複数の記録手段に記録されている画像とが表示されている状態で、前記撮像手段により得られた画像の記録先として、前記複数の記録手段の中から任意の記録手段を設定する設定手段、
前記指示手段により記録が指示されると、前記撮像手段により得られた画像を、前記設定手段により設定された記録手段に記録させる記録制御手段、
として機能させる。
【発明の効果】
【０００６】
本発明によれば、ユーザの意思を確実に反映させて、複数の記録手段へ記録画像を振り分けることができる。
【発明を実施するための最良の形態】
【０００７】
（本実施の形態の全体構成の説明）
本発明に係るデジタルカメラ１の全体構成を、図１及び図２を用いて説明する。図１は、デジタルカメラ１のブロック図である。図２は、デジタルカメラ１を背面から見た外観図である。デジタルカメラ１はフォーカスレンズ２、ズームレンズ３、ＣＣＤ４、ＣＤＳ／ＡＤブロック５、ＴＧ（Timing Generator）６、ＣＣＤデータ前処理ブロック７、色処理（ＣＰ）ブロック８、ＪＰＥＧ符号化器９、ＤＲＡＭ１０、内蔵のフラッシュメモリ１１、ＲＡＭ１２、ＣＰＵ１３、表示部１４、キーブロック１５、カード・インターフェイス１６、１７、及びモータ駆動ブロック２０を備えている。
【０００８】
カード・インターフェイス１６、１７には、図２に示すカメラ本体のカードスロット２２、２３にそれぞれ着脱自在に装着されたメモリカード１８、１９が接続される。カードスロット２２、２３は、デジタルカメラ１の底面に配置され、デジタルカメラ１の背面から見てカードスロット２２の左側にカードスロット２３が配置されている。メモリカード１８は、人物画像を記録するための記録媒体であり、予め人物画像のみが複数記録されている。メモリカード１９は、風景画像を記録するための記録媒体であり、予め風景画像のみが複数記録されている。なお、メモリカード１８の種類とメモリカード１９の種類とは同一でもよいし、異なっていてもよい。
【０００９】
フォーカスレンズ２及びズームレンズ３はそれぞれが図示しないレンズ群から構成されるものである。モータ駆動ブロック２０は、フォーカスレンズ２を光軸方向に駆動するフォーカスモータ２００ａ、及びズームレンズ３を光軸方向に駆動するズームモータ２００ｂと、ＣＰＵ１３から送られる制御信号に従いフォーカスモータ２００ａ及びズームモータ２００ｂをそれぞれ駆動するモータドライバ２０１ａ，２０１ｂとから構成されている。なお、フォーカスモータ２００ａ及びズームモータ２００ｂは共にステッピングモータである。
【００１０】
ＣＣＤ４は、フォーカスレンズ２を介して投影された被写体像を光電変換し撮像信号として出力する。ＴＧ６は、所定周波数のタイミング信号を生成してＣＣＤ４を駆動する。ＣＤＳ／ＡＤブロック５は、ＣＣＤ４からの出力信号をサンプリングしてノイズを除去しデジタル信号に変換する。ＣＣＤデータ前処理ブロック７は、デジタル信号に変換された撮像信号に対し輝度信号処理等のデータ処理を行う。色処理（ＣＰ）ブロック８は、輝度信号処理等が行われた画像信号に対して色分離等の色処理を行い、Ｙ，Ｃｂ，Ｃｒの画像データを生成する。ＤＲＡＭ１０は、色処理後のＹ，Ｃｂ，Ｃｒの画像データを逐次記憶する。
【００１１】
表示部１４は、図２に示す表示画面であるＬＣＤ（液晶ディスプレイ）２１と、それを駆動する駆動回路等からなる。表示部１４は、撮影モードが設定された状態でシャッタキー２７が押されていない撮影待機状態には、ＣＣＤ４から取り込まれＤＲＡＭ１０に蓄積された１フレーム（画面）分の画像データに基づくスルー画像をＬＣＤ２１に表示する。また、表示部１４は、後述する撮影時再生モードが設定された状態では、スルー画像とともに、メモリカード１８、１９から読み出された画像データに基づく記録画像とをＬＣＤ２１に表示する。
【００１２】
ＪＰＥＧ符号化器９は、画像記録時（撮影処理時）には、色処理（ＣＰ）ブロック８から入力した画像データをＪＰＥＧ圧縮する。撮影画像を記録する記録媒体であるメモリカード１８、１９は、それぞれカード・インターフェイス１６、１７を介して送られた圧縮後の画像データを記録する。記録された画像データは、記録画像の再生時に読み出され、ＪＰＥＧ符号化器９により伸張された後、表示部１４のＬＣＤ２１において表示される。
【００１３】
キーブロック１５は、図２に示す上下左右の４つのキーからなる十字キー２４、ＳＥＴキー２５、メニューキー２６、シャッタキー２７、ズームキー２８などの各種操作キーを含み、各キー操作に応じた操作信号をＣＰＵ１３へ送る。また、シャッタキー２７は、所謂ハーフシャッタ機能を備えたものであり、撮影予告のための半押し操作と、撮影指示用の全押し操作が可能な構成である。
【００１４】
フラッシュメモリ１１には、ＣＰＵ１３によるデジタルカメラ１の制御、すなわちＡＦ制御、ＡＥ制御、ＡＷＢ制御等に必要なプログラムと各種データ、後述する図３に示すフローチャートに示す制御を実行するための制御プログラム等が格納されている。また、フラッシュメモリ１１には撮影画像を記録することもできる。ＣＰＵ１３は、デジタルカメラ１の全体制御を司るものである。ＣＰＵ１３は、キーブロック１５からの操作信号とフラッシュメモリ１１に格納されたプログラムに従い、ＲＡＭ１２を作業用メモリとして動作することにより、表示制御手段、設定手段、記録制御手段として機能する。
【００１５】
（本実施の形態の動作の説明）
次に、以上の構成からなるデジタルカメラ１の本発明に係る動作を説明する。電源をオンにすると、ＣＰＵ１３は、前記プログラムに従って動作することにより、図３のフローチャートに示すように処理を実行する。まず、ＣＰＵ１３は、ＣＣＤ４から取り込まれＤＲＡＭ１０に蓄積された１フレーム（画面）分の画像データに基づくスルー画像を表示部１４に表示させる。
【００１６】
電源をオンにした直後は、図４に示すように、スルー画像が、ＬＣＤ２１の中央に位置する表示領域である撮影画像領域４１に表示される。また、ＬＣＤ２１においては、撮影画像領域４１の外部の表示領域に、撮影画像領域４１を挟んで、撮影画像領域４１の右側に再生画像領域４２、左側に再生画像領域４３が設けられている。この時点では、再生画像領域４２、４３には、ＩＳＯ感度やシャッタ速度などの撮影条件が表示されている。
【００１７】
ここで、ユーザがメニューキー２６を操作すると、ＬＣＤ２１にはメニュー画面が表示される。ユーザが、このメニュー画面において本発明に係る動作モードである「撮影時再生モード」を選択してＳＥＴキー２５を操作すると、この操作信号に応答して、ＣＰＵ１３は、撮影時再生モードを設定する（ステップＳ１）。
【００１８】
ＣＰＵ１３は、ステップＳ１に続いて、メモリカードがカードスロット２２、２３の両方に装着されているか否かを判断する（ステップＳ２）。メモリカードがカードスロット２２、２３の両方に装着されている場合、ＣＰＵ１３は、メモリカードがカードスロット２２、２３の両方に装着されていると判断する（ステップＳ２でＹＥＳ）。次いで、ＣＰＵ１３は、ＬＣＤ２１に、図５に示すように、メモリカード１８、１９に既に記録されている記録画像を、それぞれＬＣＤ２１の再生画像領域４２、４３にサムネイル形式で表示させて撮影条件の表示を終了させる（ステップＳ３）。以下、カードスロット２２にメモリカード１８が装着され、カードスロット２３にメモリカード１９が装着されているものとして説明を続ける。
【００１９】
ステップＳ３においては、ＬＣＤ２１には、人物画像記録用のメモリカード１８に既に記録されている人物画像のうち３枚の人物画像１８１、１８２、１８３が、再生画像領域４２にサムネイル形式で表示される。また、風景画像記録用のメモリカード１９に既に記録されている風景画像のうち３枚の風景画像１９１、１９２、１９３が、再生画像領域４３にサムネイル形式で表示される。つまり、カードスロット２２、２３の左右の配置関係と、再生画像領域４２、４３の左右の配置関係が対応している。そして、上述の通り、カードスロット２２にはメモリカード１８が装着されており、カードスロット２３にはメモリカード１９が装着されている。そのため、再生画像領域４２がメモリカード１８に対応し、再生画像領域４３がメモリカード１９に対応していることになる。
【００２０】
ＣＰＵ１３は、ステップＳ３に続いて、撮影画像の記録先となるメモリカードの選択指示を検知すべく待機状態となる（ステップＳ４）。この状態では、ＣＰＵ１３が最初の選択指示を検知するまではカーソル枠５１が再生画像領域４２に表示され、ＣＰＵ１３は、再生画像領域４２に対応するメモリカード１８を撮影画像の記録先として選択している。なお、カーソル枠５１は、メモリカード１８、１９のいずれが撮影画像の記録先として選択されているかを示す指標である。
【００２１】
ステップＳ４において、ユーザにより十字キー２４の左右キーが操作された場合、この操作信号に応答して、ＣＰＵ１３は、撮影画像の記録先の選択指示を検知する（ステップＳ４でＹＥＳ）。すると、カーソル枠５１が、スルー画像を挟んで反対側の再生画像領域に移動し、ＣＰＵ１３は、カーソル枠５１が表示されている再生画像領域に対応するメモリカードを撮影画像の記録先として選択する（ステップＳ５）。一方、ＣＰＵ１３が、撮影画像の記録先の選択指示を検知しなければ（ステップＳ４でＮＯ）、ステップ６へと進む。
【００２２】
ＣＰＵ１３は、ステップＳ５に続いて、再生画像領域４２、４３にサムネイル形式で表示されたメモリカードに記録されている記録画像（以下、「サムネイル画像」という）をスクロール表示させるスクロール指示を検知すべく待機状態となっている（ステップＳ６）。この状態で、ユーザにより十字キー２４の上下キーが操作された場合、ＣＰＵ１３は、カーソル枠５１が表示されている再生画像領域に表示されているサムネイル画像に対するスクロール指示を検知し（ステップＳ６でＹＥＳ）、ステップＳ７へ進む。一方、ＣＰＵ１３が、スクロール指示を検知しなければ（ステップＳ６でＮＯ）、ステップ８へと進む。
【００２３】
ステップＳ７においては、ユーザにより十字キー２４の下キーの操作がなされると、ＣＰＵ１３はスクロール指示を検知し、カーソル枠５１が表示されている再生画像領域に表示されているサムネイル画像をスクロール表示させる。例えば、メモリカード１８が撮影画像の記録先として選択されており、カーソル枠５１が再生画像領域４２に表示されている状態で、ＣＰＵ１３がスクロール指示を検知すると、図６に示すように、再生画像領域４２に表示されているサムネイル画像が下側へとスクロールする。すると、サムネイル画像１８１の表示が終了し、メモリカード１８に記録されている新しい記録画像１８４が、再生画像領域４２にサムネイル形式で新たに表示される。なお、ＣＰＵ１３は、スクロール指示を検知する度に、サムネイル画像のスクロール表示を行う。
【００２４】
ＣＰＵ１３は、ステップＳ７に続いて、選択されているメモリカードを、撮影画像の記録先として設定する設定指示を検知すべく待機状態となっている（ステップＳ８）。この状態で、ユーザによりＳＥＴボタン２５が操作された場合、この操作信号に応答して、ＣＰＵ１３は、設定指示を検知し（ステップＳ８でＹＥＳ）、選択されているメモリカードを撮影画像の記録先として設定し（ステップＳ９）、ステップＳ１４へ進む。ＣＰＵ１３は、設定指示を検知しなければ（ステップＳ８でＮＯ）、検知するまで待機状態となる。
【００２５】
一方、メモリカードがカードスロット２２、２３の両方に装着されておらず、ＣＰＵ１３が、メモリカードがカードスロット２２、２３の両方に装着されていないと判断した場合（ステップＳ２でＮＯ）、ＣＰＵ１３は、メモリカードがカードスロット２２、２３の片方に装着されているか否かを判断する（ステップＳ１０）。
【００２６】
メモリカードがカードスロット２２、２３の片方に装着されており、ＣＰＵ１３が、メモリカードがカードスロット２２、２３の片方に装着されていると判断した場合（ステップＳ１０でＹＥＳ）、ステップＳ１１へ進む。以下、カードスロット２２にはメモリカード１８が装着され、カードスロット２３にはメモリカードが装着されていないものとして説明を続ける。
【００２７】
ステップＳ１１において、ＣＰＵ１３は、図９に示すように、ＬＣＤ２１に、メモリカード１８に既に記録されている記録画像１８１、１８２、１８３を、ＬＣＤ２１の再生画像領域４２サムネイル形式で表示させる。次いで、ＣＰＵ１３は、カードスロット２２に装着されているメモリカード１８を、撮影画像の記録先として設定し（ステップＳ１２）、ステップＳ１４へ進む。
【００２８】
また、メモリカードがカードスロット２２、２３のいずれにも装着されておらず、ＣＰＵ１３が、カードスロット２２、２３の片方に装着されていないと判断した場合（ステップＳ１０でＮＯ）、ＣＰＵ１３は、フラッシュメモリ１１を撮影画像の記録先として設定し（ステップＳ１３）、ステップＳ１４へ進む。この場合は、ＬＣＤ２１の再生画像領域４２、４３には、撮影条件が表示されたままとなる。
【００２９】
ＣＰＵ１３は、ステップＳ９、Ｓ１２、Ｓ１３のいずれかに続いて、撮影指示がなされたか否かを判断すべく待機状態となる（ステップＳ１４）。この状態で、ユーザによるシャッタキー２７の操作がなされた場合、この操作信号に応答して、ＣＰＵ１３は、撮影指示を検知し（ステップＳ１４でＹＥＳ）、撮影処理を実行して撮影画像を生成する。そして、生成された撮影画像はＪＰＥＧ方式で圧縮されて、記録先として設定されているメモリカード若しくはフラッシュメモリ１１に記録され（ステップＳ１５）、ステップＳ１６へ進む。
【００３０】
ステップＳ１５においては、撮影画像の記録先としてメモリカード１８が設定されている場合、撮影画像がメモリカード１８に記録される。そして、メモリカード１８、１９がそれぞれカードスロット２２、２３に装着されていた場合は、図７に示すように、撮影直後に、メモリカード１８に対応する再生画像領域４２のサムネイル画像がスクロールして、メモリカード１８に記録された撮影画像５１１が、再生画像領域４２にサムネイル形式で表示される（ステップＳ１６）。
【００３１】
また、ステップＳ１５においては、メモリカードがカードスロット２２、２３のいずれにも装着されていない場合、つまり、撮影画像の記録先としてフラッシュメモリ１１が設定されている場合、撮影画像がフラッシュメモリ１１に記録される。なお、この場合は、撮影後に、再生画像領域４２、４３に撮影画像を表示せず、ステップＳ１６を省略する。
【００３２】
次に、メモリカードがカードスロット２２、２３の両方に装着されている場合に、撮影画像の記録先としてメモリカード１８、１９の両方が設定される場合について説明する。なお、この場合も、カードスロット２２にメモリカード１８が装着され、カードスロット２３にメモリカード１９が装着されているものとして説明をする。
【００３３】
上述のステップ９において、撮影画像の記録先としてメモリカード１８、１９のいずれか１つが設定された後、ステップＳ１４において、ユーザによるシャッタキー２７の操作がなされず、ＣＰＵ１３が撮影指示を検知していない場合（ステップＳ１４でＮＯ）は、再びステップ４へと戻る。
【００３４】
ここで、ユーザにより十字キー２４の左右キーが操作されて、ＬＣＤ２１上でカーソル枠５１が移動することにより、既に記録先として設定されているメモリカードとは別のメモリカードが新たに選択された場合、この操作信号に応答して、ＣＰＵ１３は、前記別のメモリカードを新たに選択する（ステップＳ５）。これで、メモリカード１８、１９の両方が選択されていることとなる。
【００３５】
ＣＰＵ１３は、ステップＳ５に続いて、スクロール指示を再び検知すべく待機状態になっている（ステップＳ６）。ここで、ユーザにより十字キー２４の下キーの操作が１回なされると、ＣＰＵ１３はスクロール指示を検知し、サムネイル画像のスクロール表示を行う。この場合は、十字キー２４の１回の操作により、再生画像領域４２、４３の両方に表示されているサムネイル画像が同時にスクロール表示される。
【００３６】
ＣＰＵ１３は、ステップＳ７に続いて、新たに選択されている前記別のメモリカードを、撮影画像の記録先として設定する設定指示を再び検知すべく待機状態となっている（ステップＳ８）。この状態で、ユーザによりＳＥＴボタン２５が操作された場合、この操作信号に応答して、ＣＰＵ１３は、設定指示を検知し（ステップＳ８でＹＥＳ）、選択されている前記別のメモリカードを撮影画像の記録先として新たに設定する（ステップＳ９）。これで、メモリカード１８、１９の両方が撮影画像の記録先として設定されたこととなる。
【００３７】
ＣＰＵ１３は、ステップＳ９に続いて、撮影指示がなされたか否かを再び判断すべく待機状態となる（ステップＳ１４）。この状態で、ユーザによるシャッタキー２７の操作がされた場合、この操作信号に応答して、ＣＰＵ１３は、撮影指示を検知し（ステップＳ１４でＹＥＳ）、撮影処理を実行して撮影画像を生成する。そして、生成された撮影画像はＪＰＥＧ方式で圧縮されて、記録先として設定されているメモリカード１８、１９の両方に記録される（ステップＳ１５）。
【００３８】
このように、撮影画像の記録先としてメモリカード１８、１９の両方が設定されている場合は、図８に示すように、撮影直後に、メモリカード１８、１９に対応する再生画像領域４２、４３のサムネイル画像がスクロールして、メモリカード１８、１９に記録された撮影画像５１１が、再生画像領域４２、４３にサムネイル形式で表示される（ステップＳ１６）。
【００３９】
以上で、ＣＰＵ１３は、図３のフローチャートに従った処理を終了する。
【００４０】
以上より、本実施の形態に係るデジタルカメラ１によれば、スルー画像とメモリカード１８、１９に記録されている記録画像とを同時にＬＣＤ２１に表示する。これにより、例えば、スルー画像上の被写体が人物であり、ユーザがこの被写体を人物画像として記録することを所望するときは、メモリカード１８に記録され再生画像領域４２に表示されているサムネイル画像により、この被写体をメモリカード１８に記録すればよいことを理解することができる。一方、スルー画像上の被写体が風景であり、ユーザがこの被写体を風景画像として記録することを所望するときは、メモリカード１９に記録され再生画像領域４３に表示されているサムネイル画像により、この被写体をメモリカード１９に記録すればよいことを理解することができる。つまり、ユーザの意思に沿って、記録画像の各メモリカードへの振り分けを確実に行なわせることができる。
【００４１】
また、ＬＣＤ２１には、スルー画像とメモリカード１８、１９に記録されている記録画像とが同時に表示されるため、ユーザは、撮影画像をメモリカード１８、１９のどちら又は両方に記録したらよいのかを判断するに際して、いちいち撮影モードと再生モードとを切り替える手間がかからず、これらの画像を容易に見比べることができる。
【００４２】
また、ＬＣＤ２１において、メモリカード１８、１９に記録されている記録画像を、スルー画像の外部に表示させるようにしたので、記録画像によってスルー画像が隠されることがなく、撮影時にメモリカード１８、１９に記録されている記録画像を表示させてもスルー画像が見やすいという利点が生じる。
【００４３】
また、カードスロット２２、２３の左右の配置関係と、再生画像領域４２、４３の左右の配置関係が対応させたので、ユーザは、撮影画像の記録先を設定する際に、メモリカード１８、１９のどちらを設定すればよいのかを直感的に把握することができる。その結果、メモリカード１８、１９を、用途に応じて、より確実に使い分けることができる。
【００４４】
また、撮影直後に、撮影画像のサムネイル画像を、撮影画像が記録されたメモリカードに対応する再生表示領域に表示させたので、ユーザは、記録先として設定されたメモリカードに、撮影画像が記録されたこと確認できる。
【００４５】
また、撮影画像の記録先としてメモリカード１８、１９の両方を設定すれば、一度の撮影でメモリカード１８、１９の両方に撮影画像を記録させることができる。例えば、撮影画像に人物と風景がともに写っている場合、この撮影画像の記録先としては、人物画像記録用のメモリカード１８、風景画像記録用のメモリカード１９のいずれでも適切である。このような場合、被写体の種別に応じて、臨機応変に撮影画像の記録先をメモリカード１８、１９の両方に設定でき、デジタルカメラ１の使い勝手がよくなる。
【００４６】
また、メモリカード１８、１９に記録されている記録画像を再生画像領域４２、４３に表示させ、且つ、スクロール表示を可能にさせるようにしたので、メモリカード１８、１９に記録されている記録画像を全て閲覧して用途を詳細に確認することができる。
【００４７】
また、撮影時再生モードが設定されていないときには、再生画像領域４２、４３に撮影条件を表示させるようにしたので、撮影時再生モードが設定させていないときにも、再生画像領域４２、４３を有効活用できる。
【００４８】
（変形例）
本実施の形態では、シャッタキー２７の操作による撮影前に、撮影画像の記録先となるメモリカードを設定した。しかし、シャッタキー２７の操作による撮影後に、撮影画像の記録先となるメモリカードの設定をしてもよい。この場合は、撮影待機状態には、撮影画像領域４１にスルー画像に表示させ、再生画像領域４２、４３に表示させる。そして、シャッタキー２７の操作による撮影がなされたら、撮影画像をフラッシュメモリ１１に一時的に記録させる。この状態で、ユーザが十字キー２４、ＳＥＴキー２５を操作することによって、撮影画像の記録先となるメモリカードが選択され設定された後に、撮影画像が記録先として設定されたメモリカードに最終的に記録されることになる。
【００４９】
本実施の形態では、撮影画像を記録する記録媒体を、メモリカード１８、１９の２つとした。しかし、カードスロットの数を３つ以上とし、撮影時に使用するメモリカードの数を３つ以上にしてもよい。例えば、メモリカードの数が４つである場合、ＬＣＤ２１における各記録媒体に記録されている画像の表示領域は、再生画像領域４２、４３の内部であればどこでもよい。但し、使用するメモリカードの数がいずれの場合でも、再生画像領域４２、４３に表示するサムネイル画像を、メモリカードごとに区別できるように表示しなければならない。
【００５０】
また、本実施の形態では、撮影後に、撮影画像のサムネイル画像を記録先として設定されたメモリカードに対応する再生表示領域に表示させることで、ユーザが記録先として設定されたメモリカードに撮影画像が記録されたこと確認できるようにした。しかし、撮影後に、撮影画像がその記録先として設定されたメモリカードに記録された旨を示すメッセージをＬＣＤ２１に表示してもよい。このメッセージによっても、ユーザは、記録先として設定されたメモリカードに撮影画像が記録されたことを確認できる。
【００５１】
また、本実施の形態では、本発明の対象をデジタルカメラとして説明したが、これに限定されるものではない。例えば、カメラ付携帯電話やＰＤＡなども本発明の対象となり得る。また、本発明は、上記の実施の形態に限定して解釈されるものではなく、その趣旨を逸脱しない範囲で、種々の変更ができることはもちろんである。
【図面の簡単な説明】
【００５２】
【図１】本発明に係るデジタルカメラの全体構成を示すブロック図である。
【図２】本発明に係るデジタルカメラの外観図である。
【図３】本発明に係るデジタルカメラの動作を示すフローチャートである。
【図４】撮影時再生モードが設定されていないときの表示画面を示す図である。
【図５】撮影時再生モードが設定されているときの表示画面を示す図である。
【図６】サムネイル画像をスクロール表示された場合の表示画面を示す図である。
【図７】記録先としてメモリカードが１つ設定された場合における、撮影後の表示画面を示す図である。
【図８】記録先としてメモリカードが２つ設定された場合における、撮影後の表示画面を示す図である。
【図９】撮影時再生モードが設定されているときの表示画面を示す図である。
【符号の説明】
【００５３】
１    デジタルカメラ
２    フォーカスレンズ
３    ズームレンズ
４    ＣＣＤ
５    ＣＤＳ／ＡＤブロック
６    ＴＧ（Timing Generator）
７    ＣＣＤデータ前処理ブロック
８    色処理（ＣＰ）ブロック
９    ＪＰＥＧ符号化器
１０  ＤＲＡＭ
１１  フラッシュメモリ
１２  ＲＡＭ
１３  ＣＰＵ
１４  表示部
１５  キーブロック
１６  カード・インターフェイス
１７  カード・インターフェイス
１８  メモリカード
１９  メモリカード
２０  モータ駆動ブロック
２１  ＬＣＤ（液晶ディスプレイ）
２２  カードスロット
２３  カードスロット
２４  十字キー
２５  ＳＥＴキー
２６  メニューキー
２７  シャッタキー
２８  ズームキー
４１  撮影画像領域
４２  再生画像領域
４３  再生画像領域
５１  カーソル枠
【図１】
0005034969.tif 000002
【図２】
0005034969.tif 000003
【図３】
0005034969.tif 000004
【図４】
0005034969.tif 000005
【図５】
0005034969.tif 000006
【図６】
0005034969.tif 000007
【図７】
0005034969.tif 000008
【図８】
0005034969.tif 000009
【図９】
0005034969.tif 000010